(57)【特許請求の範囲】
【請求項１】
着脱可能な記憶媒体に記憶された情報を当該記憶媒体の装着時に利用する電子機器であって、
対象の記憶媒体が装着されており、対象の状態にあると判定された場合に、情報をユーザに入力させ、当該入力された情報に基づく情報である記憶用情報を、前記電子機器内に記憶するとともに前記記憶媒体にも記憶させておき、
前記記憶用情報が記憶された記憶媒体が前記電子機器に装着されている場合に、前記記憶媒体に記憶された記憶用情報と前記電子機器内に記憶された記憶用情報とが一致しない場合には、当該記憶媒体内の情報の利用を制限する電子機器であって、
前記着脱可能な記憶媒体に記憶された情報の当該記憶媒体の装着時の利用は、当該記憶媒体に記憶されたアップデート情報を用いた当該電子機器内の記憶部の情報のアップデートであり、
前記利用の制限は、前記記憶媒体に記憶された情報を用いた当該電子機器内の記憶部の情報のアップデートを行わないことであること
を特徴とする電子機器。
【請求項２】
前記記憶媒体に記憶された記憶用情報と前記電子機器内に記憶された記憶用情報とが一致する場合には、当該記憶媒体内のアップデート情報を用いた当該電子機器内の記憶部の情報のアップデートを行う構成であり、
前記記憶用情報を、前記電子機器内に記憶するとともに前記記憶媒体にも記憶させた際には、当該記憶媒体の取り出し指示を出力すること
を特徴とする請求項１に記載の電子機器。
【請求項３】
前記アップデートにより、アップデート前の機能と、アップデート後の機能の双方を実行可能とし、いずれを実行するかをユーザが選択可能に構成したこと
を特徴とする請求項１または２に記載の電子機器。
【請求項４】
着脱可能な記憶媒体に記憶された情報を当該記憶媒体の装着時に利用する電子機器であって、
対象の記憶媒体が装着されており、対象の状態にあると判定された場合に、情報をユーザに入力させ、当該入力された情報に基づく情報である記憶用情報を、前記電子機器内に記憶するとともに前記記憶媒体にも記憶させておき、
前記記憶用情報が記憶された記憶媒体が前記電子機器に装着されている場合に、前記記憶媒体に記憶された記憶用情報と前記電子機器内に記憶された記憶用情報とが一致しない場合には、当該記憶媒体内の情報の利用を制限する電子機器であって、
前記記憶媒体として、一般的なパソコンで読み書き可能な記憶形式の記憶媒体と、一般的なパソコンで読み書き不能な記憶形式の記憶媒体とを備え、
前記一般的なパソコンで読み書き不能な記憶形式の記憶媒体は前記対象の記憶媒体とする一方、
前記一般的なパソコンで読み書き可能な記憶形式の記憶媒体は前記対象の記憶媒体としないとともに
前記一般的なパソコンで読み書き可能な記憶形式の記憶媒体の装着時には、当該記憶媒体内のアップデート情報を用いた当該電子機器内の記憶部の情報のアップデートを行う機能を備えること
を特徴とする電子機器。
【請求項５】
着脱可能な記憶媒体に記憶された情報を当該記憶媒体の装着時に利用する電子機器であって、
対象の記憶媒体が装着されており、対象の状態にあると判定された場合に、情報をユーザに入力させ、当該入力された情報に基づく情報である記憶用情報を、前記電子機器内に記憶するとともに前記記憶媒体にも記憶させておき、
前記記憶用情報が記憶された記憶媒体が前記電子機器に装着されている場合に、前記記憶媒体に記憶された記憶用情報と前記電子機器内に記憶された記憶用情報とが一致しない場合には、当該記憶媒体内の情報の利用を制限する電子機器であって、
前記ユーザによって入力される情報は認証番号であり、前記記憶用情報は認証番号そのものであること
を特徴とする電子機器。
【請求項６】
工場出荷時には、前記記憶媒体に前記記憶用情報を記憶せず、前記電子機器内にも前記記憶用情報を記憶せず、
前記対象の状態にある場合は、前記装着された記憶媒体に前記記憶用情報が記憶されていない状態であること
を特徴とする請求項１〜５のいずれかに記載の電子機器。
【請求項７】
工場出荷時には、前記記憶媒体に前記記憶用情報を記憶せず、前記電子機器内にも前記記憶用情報を記憶せず、
前記対象の状態にある場合は、前記装着された記憶媒体に前記記憶用情報が記憶されておらず、かつ、前記電子機器内に前記記憶用情報が記憶されていない状態であること
を特徴とする請求項１〜５のいずれかに記載の電子機器。
【請求項８】
前記記憶媒体に記憶された記憶用情報と前記電子機器内に記憶された記憶用情報とが一致しない場合に、当該記憶媒体の利用が制限される旨の出力を行うこと
を特徴とする請求項１〜７のいずれかに記載の電子機器。
【請求項９】
前記記憶媒体に記憶された記憶用情報と前記電子機器内に記憶された記憶用情報とが一致する場合には、当該記憶媒体内の情報の利用を制限しないこと
を特徴とする請求項１〜８のいずれかに記載の電子機器。
【請求項１０】
請求項１〜９のいずれかの電子機器としての機能を当該電子機器のコンピュータに実現させるためのプログラムの少なくとも一部を当該装着された記憶媒体内に備え、前記電子機器は当該記憶媒体内のプログラムを実行する機能を備えること
を特徴とする電子機器。
【請求項１１】
請求項１〜９のいずれかの電子機器としての機能を当該電子機器のコンピュータに実現させるためのプログラムの少なくとも一部を当該装着された記憶媒体内に備える記憶媒体。
【請求項１２】
請求項１〜９のいずれかの電子機器としての機能をコンピュータに実現させるためのプログラム。
【発明の詳細な説明】
【技術分野】
【０００１】
本発明は、着脱可能な記憶媒体に記憶された情報を当該記憶媒体の装着時に利用する電子機器等に関するものである。
【背景技術】
【０００２】
従来、例えば特許文献１に記載のように、あらかじめレシピデータを記憶させた着脱可能なデータ記憶手段を工場から出荷する場合、各々のデータ記憶手段に異なる認証番号を記憶させておき、加熱調理器にデータ記憶手段が初めて装着された場合に、データ記憶手段内の認証番号を認証制御手段が読み込み、認証記憶手段に記憶させ、同一認証番号でなければ、表示させることが不可能にすることで、不正コピーができない構成としたものがある。
【０００３】
また、特許文献１には、使用者が新規に着脱可能なデータ記憶手段を購入し、加熱調理器にデータ記憶手段が初めて装着されると、データ記憶手段内に認証番号が存在しないため、認証記憶手段内にある認証番号を認証制御手段が読みとり、データ記憶手段内に記憶させる構成についても開示されている。
【先行技術文献】
【特許文献】
【０００４】
【特許文献１】特開２００３−１１４８２９号公報
【発明の概要】
【発明が解決しようとする課題】
【０００５】
しかし、いずれの構成においても、認証番号を工場出荷時に予め着脱可能なデータ記憶手段か認証記憶手段に記憶させて置く必要がある。しかし、認証番号は個体ごとに異なる内容を記憶させる必要があるため、各個体のデータ記憶手段か認証記憶手段に対して個別の書き込み作業が必要となり、この書き込み作業のためのコストがかかるという問題があった。
【０００６】
そこで、本発明は、工場出荷時に個別の認証番号の書き込みが不要となり、従来よりも簡便な方法で、記憶媒体の電子機器への装着時にその記憶媒体に記憶された情報の利用を制限するかを決定できる電子機器等を提供することを目的とする。
【課題を解決するための手段】
【０００７】
上述した目的を達成するために、本発明に係る電子機器は、（１）着脱可能な記憶媒体に記憶された情報を当該記憶媒体の装着時に利用する電子機器であって、対象の記憶媒体が装着されており、対象の状態にあると判定された場合に、情報をユーザに入力させ、当該入力された情報に基づく情報である記憶用情報を、前記電子機器内に記憶するとともに前記記憶媒体にも記憶させておき、前記記憶用情報が記憶された記憶媒体が前記電子機器に装着されている場合に、前記記憶媒体に記憶された記憶用情報と前記電子機器内に記憶された記憶用情報とが一致しない場合には、当該記憶媒体内の情報の利用を制限することを特徴とする。
【０００８】
このようにすることで、記憶媒体が電子機器に装着され、対象の状態にある場合、情報がユーザによって入力され、そのユーザによって入力された情報に基づく記憶用情報がその記憶媒体と電子機器内に記憶されることになる。そして、記憶用情報が記憶された記憶媒体が電子機器に装着されている場合に、その記憶媒体に記憶された記憶用情報と電子機器内に記憶された記憶用情報とが一致しない場合には、当該記憶媒体内の情報の利用が制限される。そのため、例えばこの記憶用情報が記憶された記憶媒体を本電子機器と同様の構成を有する別の電子機器に装着した場合には、この記憶媒体に記憶された記憶用情報と別の電子機器内に記憶された記憶用情報とは、同じ情報をユーザが入力していたというレアケースを除き、一致しないこととなるから、通常の場合、この記憶用情報が記憶された記憶媒体内の情報の利用は制限されることとなる。このようにユーザに入力させた情報に基づく情報である記憶用情報を電子機器内に記憶するとともに記憶媒体にも記憶させて両者が一致しない場合にその記憶媒体の情報の利用を制限する構成により、工場出荷時に個別の認証番号の書き込みが不要となり、従来よりも簡便な方法で、記憶媒体の電子機器への装着時にその記憶媒体に記憶された情報の利用を制限するかを決定できる。例えば、記憶媒体が有償で販売されており、その譲渡が禁止されている場合などにも、このような簡便な方法で譲渡された記憶媒体の別の電子機器での利用を制限できる。
【０００９】
（２）工場出荷時には、前記記憶媒体に前記記憶用情報を記憶せず、前記電子機器内にも前記記憶用情報を記憶せず、前記対象の状態にある場合は、前記装着された記憶媒体に前記記憶用情報が記憶されていない状態である構成とするとよい。
【００１０】
このようにすることで、新たに購入した記憶媒体を電子機器に装着した際に、情報をユーザに入力させ、当該入力された情報に基づく情報である記憶用情報を、前記電子機器内に記憶するとともに前記記憶媒体にも記憶させる処理が行われることとなる。また、すでに他の電子機器で利用された記憶媒体については、情報をユーザに入力させる処理が行われないこととなる。よって、一度、利用された記憶媒体を、他の電子機器で使いまわすことがより確実にできなくなる。
【００１１】
（３）工場出荷時には、前記記憶媒体に前記記憶用情報を記憶せず、前記電子機器内にも前記記憶用情報を記憶せず、前記対象の状態にある場合は、前記装着された記憶媒体に前記記憶用情報が記憶されておらず、かつ、前記電子機器内に前記記憶用情報が記憶されていない状態である構成とするとよい。
【００１２】
このようにすることで、新たに購入した記憶媒体を電子機器に装着した際であって、装着された記憶媒体に記憶用情報が記憶されている場合や、あるいは、電子機器内に記憶用情報が記憶されている場合には、情報をユーザに入力させる処理が行われないこととなる。したがって、一度、利用された記憶媒体や、一度当該記憶媒体を装着された電子機器について、当該記憶媒体の利用を制限することができる。例えば誤って他の電子機器で利用された記憶媒体が装着された場合や、まだ利用されていない記憶媒体がすでに他の記憶媒体を利用した電子機器に誤って装着された場合になどに優れた効果を発揮する。
【００１３】
（４）前記記憶媒体に記憶された記憶用情報と前記電子機器内に記憶された記憶用情報とが一致しない場合に、当該記憶媒体の利用が制限される旨の出力を行う構成とするとよい。
このようにすることで、装着された記憶媒体が、利用制限のある記憶媒体であることをユーザは知ることができる。
【００１４】
（５）着脱可能な記憶媒体に記憶された情報の当該記憶媒体の装着時の利用は、当該記憶媒体に記憶されたアップデート情報を用いた前記本体内の記憶部の情報のアップデートであり、前記利用の制限は、前記記憶媒体に記憶された情報を用いた前記本体内の記憶部の情報のアップデートを行わないことである構成とするとよい。
【００１５】
このようにすることで、アップデート情報の記憶された記憶媒体を複数の電子機器で使い回して複数の電子機器をアップデートさせたりすることを防止することができる。例えばアップデート情報を記憶した記憶媒体を販売している場合に、自己の電子機器をこの記憶媒体を用いてアップデートした後に、他人の電子機器をこの記憶媒体を用いてアップデートすることを、従来よりも簡便な構成でできなくすることができる。
【００１６】
（６）前記記憶媒体に記憶された記憶用情報と前記電子機器内に記憶された記憶用情報とが一致する場合には、当該記憶媒体内のアップデート情報を用いた前記本体内の記憶部の情報のアップデートを行う構成であり、前記記憶用情報を、前記電子機器内に記憶するとともに前記記憶媒体にも記憶させた際には、当該記憶媒体の取り出し指示を出力する構成とするとよい。
このようにすることで、アップデート後に再度アップデート処理が実行されることを防止できる。
【００１７】
（７）前記アップデートにより、アップデート前の機能と、アップデート後の機能の双方を実行可能とし、いずれを実行するかをユーザが選択可能に構成するとよい。
【００１８】
このようにすることで、例えば任意にアップデート前の機能と、アップデート後の機能を選択できる。また、アップデート後にもアップデート前の機能を実行させることができる。例えば、アップデート前の機能と、アップデート後の機能のいずれを実行するかの選択手段を設け、当該選択手段によって選択された機能を実行する構成とするとよい。
【００１９】
（８）前記記憶媒体として、一般的なパソコンで読み書き可能な記憶形式の記憶媒体と、一般的なパソコンで読み書き不能な記憶形式の記憶媒体とを備え、前記一般的なパソコンで読み書き不能な記憶形式の記憶媒体は前記対象の記憶媒体とする一方、前記一般的なパソコンで読み書き可能な記憶形式の記憶媒体は前記対象の記憶媒体としないとともに前記一般的なパソコンで読み書き可能な記憶形式の記憶媒体の装着時には、当該記憶媒体内のアップデート情報を用いた前記本体内の記憶部の情報のアップデートを行う機能を備える構成とするとよい。
【００２０】
このようにすることで、例えばインターネット等を介して提供される無償のアップデート情報を一般的なパソコンで読み書き可能な記憶形式の記憶媒体にダウンロードして、その記憶媒体を電子機器に装着することで、当該記憶媒体内のアップデート情報を用いた前記本体内の記憶部の情報のアップデートを行うことができる一方、例えば有償で提供される一般的なパソコンで読み書き不能な記憶形式の記憶媒体は前記対象の記憶媒体とすることで当該記憶媒体のコピーを防止できるとともに他の電子機器での利用制限をかけることができる。一般的なパソコンとは例えばその時点で主流のオペレーティングシステムを搭載しているパソコンとするとよい。
【００２１】
（９）前記記憶媒体に記憶された記憶用情報と前記電子機器内に記憶された記憶用情報とが一致する場合には、当該記憶媒体内の情報の利用を制限しない構成とするとよい。
【００２２】
このようにすることで、ユーザ自身が入力した情報に基づく認証情報が、記憶媒体と電子機器の双方に存在する場合に当該記憶媒体内の情報が制限なく利用できる。
（１０）前記所定の情報をユーザに入力させるための入力手段と前記入力手段によって入力された情報を表示する表示手段を備える構成とするとよい。
このようにすれば、ユーザは入力した内容を確認しながら確実に前記所定の情報を入力することが容易にできるようになる。
【００２３】
前記ユーザに入力させる情報は、任意の情報とすることができ、記憶用情報はその入力された情報に基づく情報であればよいが特に次のようにするとよい。
（１１）前記ユーザに入力させる情報は認証番号であり、前記記憶用情報は認証番号そのものである構成とするとよい。このようにすれば、ユーザは番号を入力だけでよく、容易かつ簡便に所定の情報を容易に入力でき、記憶媒体に記憶された情報を当該記憶媒体の装着時に利用することが容易にでき、その利用を妨げる度合いを最小にすることができる。
【００２４】
（１２）請求項１〜１１のいずれかの電子機器としての機能を当該電子機器のコンピュータに実現させるためのプログラムの少なくとも一部を当該装着された記憶媒体内に備え、前記電子機器は当該記憶媒体内のプログラムを実行する機能を備える構成とするとよい。
【００２５】
（１３）請求項１〜１１のいずれかの電子機器としての機能を当該電子機器のコンピュータに実現させるためのプログラムの少なくとも一部を当該装着された記憶媒体内に備える記憶媒体とするとよい。
（１４）請求項１〜１１のいずれかの電子機器としての機能をコンピュータに実現させるためのプログラムとして構成するとよい。
【発明の効果】
【００２６】
本発明によれば、工場出荷時に個別の認証番号の書き込みが不要となり、従来よりも簡便な方法で、記憶媒体の電子機器への装着時にその記憶媒体に記憶された情報の利用を制限するかを決定できる電子機器等を提供することができる。
【図面の簡単な説明】
【００２７】
【図１】本発明の好適な一実施形態であるレーダー探知機の構成を示す図である。
【図２】レーダー探知機のブロック図を示す図である。
【図３】表示部への警告画面の表示例を示す説明図である。
【図４】表示部への警告画面の表示例を示す説明図である。
【図５】第三の機能（有償プログラム更新機能）に関する処理を説明するためのフローチャートである。
【図６】表示部への認証番号入力画面の表示例を示す説明図である。
【図７】表示部への更新進捗表示画面の表示例を示す説明図である。
【図８】表示部への更新終了表示画面の表示例を示す説明図である。
【図９】表示部への更新不能表示画面の表示例を示す説明図である。
【図１０】有償プログラム更新後に追加された表示部への警告画面の表示例を示す説明図である。
【図１１】第三の機能（有償プログラム更新機能）の別実施例の処理を説明するためのフローチャートである。
【発明を実施するための形態】
【００２８】
「電子機器の基本構成」
【００２９】
図１，図２は、本発明のシステムを構成する電子機器として好適な一実施形態であるレーダー探知機の構成を示している。レーダー探知機１は、薄型矩形状のケース本体２を備え、そのケース本体２の背面側下方に取り付けられたブラケット３を用いて車両のダッシュボード上等に貼り付けて固定される。
【００３０】
ケース本体２の前面（車両後方（運転者側）に向く面）には、表示部５を備える。表示部５は、３．２インチのカラーＴＦＴ液晶ディスプレイで構成する。この表示部５上には、表示部５のどの部分がタッチされたかを検出するタッチパネル６を備える。また、ケース本体２の前面の右サイドには音量調整ボタン７が配置され、同左サイドには各種の作業用ボタン８が配置される。
【００３１】
ケース本体２の右側面には、着脱可能な記憶媒体としてのメモリカードであるマイクロＳＤメモリカード（以下単にＳＤと記載することもある）を装着するためのカード挿入口９を備え、ケース本体２内のカード挿入口９の内側にメモリカードの読み書きを行うメモリカードリーダ１０（リーダ、ライタ機能を有するが単にリーダと称する）が内蔵される。このカード挿入口９からマイクロＳＤメモリカード１１を挿入することで、そのマイクロＳＤメモリカード１１はメモリカードリーダ１０に装着される。
【００３２】
データベース１９は、制御部１８のマイコンに外付けした不揮発性メモリ（たとえばＥＥＰＲＯＭ）である。なお、データベース１９には、出荷時に地図データ並びに一定の警報対象に関する情報が登録されており、その後に追加された警報対象についてのデータ等が後述のようにしてデータ更新される。
【００３３】
ケース本体２の背面側中央上方の内部にＧＰＳ受信器１３を配置し、さらにその横にマイクロ波受信器１４，無線受信器１５を配置する。ＧＰＳ受信器１３は、ＧＰＳ衛星からのＧＰＳ信号を受信し、現在位置（経度・緯度）情報を出力する。マイクロ波受信器１４は、速度測定装置から出射される所定周波数のマイクロ波を受信する。無線受信器１５は、飛来する所定周波数の無線を受信する。ケース本体２内の下方には、スピーカ１６も内蔵している。スピーカ口は、ケース本体２の底面に設けている。
【００３４】
ケース本体２の側面側下方には、ＤＣジャック１８を配置する。このＤＣジャック１８は、図示省略のシガープラグコードを接続するためのもので、そのシガープラグコードを介して車両のシガーソケットに接続して電源供給を受け得るようにする。
【００３５】
また、制御部１８は、ＣＰＵ，ＲＯＭ，ＲＡＭ，不揮発性メモリ、Ｉ／Ｏ等を備えるマイコンであり、図２に示すように上述した各部と接続され、上記の各種の入力機器（タッチパネル６、ＧＰＳ受信器１３、マイクロ波受信器１４、無線受信器１５等）から入力される情報に基づき所定の処理を実行し、出力機器（表示部５，スピーカ１６等）を利用して所定の警報・メッセージを出力する。これらの基本構成は、基本的に従来のものと同様のものを用いることができる。例えば音声の出力は、音声のＰＣＭデータを、ＥＥＰＲＯＭ上に記憶しており、制御部１８はこのＰＣＭデータを再生してスピーカ１６から音声を出力する。
【００３６】
本実施形態のレーダー探知機１における機能は、制御部１８に有するコンピュータが実行するプログラムとして制御部１８のＥＥＰＲＯＭ上に格納され、これを制御部１８に有するコンピュータが実行することで実現する。制御部１８の有するプログラムによってコンピュータが実現する機能としては、通常の処理として、ＧＰＳログ機能、待ち受け画面表示機能、マップ表示機能、ＧＰＳ警報機能、レーダー波警報機能、無線警報機能などがある。また起動時の処理として、更新機能を実現する後述するような第一の機能、第二の機能、第三の機能などがある。
【００３７】
ＧＰＳログ機能は、制御部１８が１秒ごとにＧＰＳ受信器８によって検出された現在位置をその検出した時刻および速度（車速）と関連づけて位置履歴として不揮発性メモリに記憶する機能である。この位置履歴は例えばＮＭＥＡ形式で記録する。
【００３８】
待ち受け画面表示機能は、所定の待ち受け画面を表示部５に表示する機能である。図３（ａ）は、待ち受け画面の一例を示しており、ここではＧＰＳ受信器１３によって検出した自車両の速度、緯度、経度、高度を示している。
【００３９】
マップ表示機能は、図３（ｂ）に示すように、ＧＰＳ受信器１３によって検出した現在位置に基づき、データベース１９にアクセスし、そこに記憶されている地図データを読み出して表示する機能である。また、マップ表示機能は、現在位置の周囲の警報対象をデータベース１９に記憶された位置情報に基づいて検索し、周囲に警報対象が存在する場合に地図上の該当する位置にその警報対象を示す情報（ターゲットアイコン１１２等）を重ねて表示する機能も備える。具体的な表示態様は、以下の通りである。
【００４０】
制御部１８は、表示部５のほぼ全面のメイン表示領域Ｒ１に、車両の進行方向が常に上を向くように地図を表示する。制御部１８は、メイン表示領域Ｒ１の下側中央が現在の自車位置になるように地図を表示するとともに、当該位置に自車アイコン１１１を表示する。
【００４１】
制御部１８は、メイン表示領域Ｒ１の上方側に設定されたステータスエリアＲ２に、ステータス情報を表示する。ステータスエリアＲ２に表示するステータス情報は、左から順に、現在時刻１２１（図では、「１５：１０」），ＧＰＳ電波受信レベル表示アイコン１２２（図では、長さの異なる３本の直線が平行に起立した最大受信レベル），駐車禁止エリアアイコン１２３（駐車最重点エリア，駐車重点エリア内のときに表示），レーダーの受信感度を示す受信感度モード表示アイコン１２４（図では、最高感度の「ＳＥ」）、車両速度１２５（図では「３０ｋｍ／ｈ」）、方位磁針１２６となっている。ステータスエリアＲ２は、透明な領域とし、メイン表示領域Ｒ１のレイアよりも上のレイアを用いて配置する。これにより、ステータスエリアＲ２内でも、ステータス情報が表示されていない場所では、下側に位置する地図が視認できる。
【００４２】
制御部１８は、メイン表示領域Ｒ１の左サイドに設定されるスケール表示領域Ｒ３に、現在のスケール情報（縮尺）を表示する。スケールは、自車位置を０ｍとし、その自車位置からメイン領域Ｒ１の上下方向の中間位置までの距離（図では「５００」）と、上方位置までの距離（図では「１０００」）を表示する。単位は、「ｍ」である。制御部１８は、メイン表示領域Ｒ１が２回連続してタッチされたことを検知すると、メイン表示領域Ｒ１内の所定位置（スケール表示領域Ｒ３に添う位置）に地図スケール変更ボタンを表示し（図示省略）、その地図スケール変更ボタンに対するタッチに応じて地図スケールを変更する。つまり、制御部１８は、変更した地図スケールの縮尺に合わせてメイン表示領域Ｒ１に表示する地図の縮尺を変更すると共に、スケール表示領域Ｒ３に表示するスケール情報も変更する。
【００４３】
図３（ａ）に示すような待ち受け画面表示機能実行中に、表示部５への１回のタッチを検知した制御部１８は、メニュー画面を表示する。そのメニュー画面中に用意された画面切り替えボタンがタッチされたことを検知した制御部１８は、図３（ｂ）に示すようなマップ表示機能に切り替える。同様にマップ表示機能実行中に表示部５への１回のタッチを検知した制御部１８は、メニュー画面を表示する。そのメニュー画面中に用意された画面切り替えボタンがタッチされたことを検知した制御部１８は、待ち受け画面表示機能に切り替える処理を行う。
【００４４】
制御部１８は、待ち受け画面表示機能、マップ表示機能（以下これらの機能を総称して待受機能と称する）の実行中に、発生したイベントに応じて、ＧＰＳ警報機能、レーダー波警報機能、無線警報機能等の各機能を実現する処理を実行し、当該機能の処理終了時には元の待受機能の処理に戻る。各機能の優先度は、高いほうから、レーダー波警報機能、無線警報機能、ＧＰＳ警報機能の順に設定している。
【００４５】
ＧＰＳ警報機能は、制御部１８に有するタイマーからのイベントにより所定時間間隔（１秒間隔）で実行される処理であり、データベース１９に記憶された警報対象の緯度経度とＧＰＳ受信器１３によって検出した現在位置の緯度経度から両者の距離を求め、求めた距離が所定の接近距離になった場合に、表示部５に図４（ａ）に示すような警報画面であるＧＰＳ警報表示１３０（警報対象の模式図・残り距離等）をし、スピーカ１６からその旨を示す接近警告の音声を出力する処理である。
【００４６】
こうした警報対象としては、居眠り運転事故地点、レーダー、制限速度切替りポイント、取締エリア、検問エリア、駐禁監視エリア、Ｎシステム、交通監視システム、交差点監視ポイント、信号無視抑止システム、警察署、事故多発エリア、車上狙い多発エリア、急／連続カーブ（高速道）、分岐／合流ポイント（高速道）、ＥＴＣレーン事前案内（高速道）、サービスエリア（高速道）、パーキングエリア（高速道）、ハイウェイオアシス（高速道）、スマートインターチェンジ（高速道）、ＰＡ／ＳＡ内
ガソリンスタンド（高速道）、トンネル（高速道）、ハイウェイラジオ受信エリア（高速道）、県境告知、道の駅、ビューポイントパーキング等があり、これらの目標物の種別情報とその位置を示す緯度経度情報と表示部５に表示する模式図または写真のデータと音声データとを対応付けてデータベース１９に記憶している。
【００４７】
図４（ｂ）は、レーダー波警報機能の表示例を示している。このレーダー波警報機能は、マイクロ波受信器１４によって速度測定装置（移動式レーダー等（以下、単に「レーダー」と称する））から発せられる周波数帯のマイクロ波に対応する信号が検出された場合に、表示部５に対して警報画面であるＧＰＳ警報表示１３１を表示するとともに、スピーカ２０から警報音を出力する警報機能である。例えば、レーダーの発するマイクロ波の周波数帯のマイクロ波がマイクロ波受信器４によって検出された場合に、図４（ｂ）に示すように、データベース１９に記憶されたレーダーの模式図または写真を表示部５に警報画面として表示するとともに、データベース１９に記憶された音声データを読み出して「レーダーです。スピード注意」という音声をスピーカ１６から出力する。表示する距離は、例えば、電界強度から推定した距離とするとよい。
【００４８】
無線警報機能は、無線受信器１５によって、緊急車両等の発する無線電波を受信した場合に、その走行等の妨げとならないよう、警報を発する機能である。無線警報機能においては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等の周波数をスキャンし、スキャンした周波数で、無線を受信した場合には、データベース１９に無線種別ごとに記憶されたその周波数に対応する無線を受信した旨の模式図を警報画面として表示部５に表示するとともに、データベース１９に無線種別ごとに記憶された音声データを読み出して、スピーカ１６からその無線の種別を示す警報音声を出力する。たとえば、取締無線を受信した場合には「取締無線です。スピード注意」のように音声を出力する。
【００４９】
以下、本発明の特徴であるメモリカードリーダ１０に装着されたマイクロＳＤメモリカード１１に格納されたデータに基づいてデータベース１９や、制御部１８のＥＥＰＲＯＭの内容を更新する処理について説明する。
本レーダー探知機１は、マイクロＳＤメモリカード１１に格納されたデータに基づいて更新する機能として、次の３つの機能を備える。
【００５０】
第一の機能として、ＧＰＳ警報機能における警報対象の緯度経度情報と各警報対象の種別情報とを更新するＧＰＳデータ更新機能を備える。ＧＰＳ警報機能における警報対象の緯度経度情報と各警報対象の種別情報とを含むＧＰＳデータファイルは、定期的（１ヶ月ごと）に、ホームページ上（インターネットに接続されたサーバ上）へアップロードされており、ユーザは、自己のパソコン等でこのＧＰＳデータファイルをダウンロードし、パソコンで読み書きできるＦＡＴ形式のファイルシステムでフォーマットされたマイクロＳＤメモリカード１１にこのＧＰＳデータファイルをコピーする。制御部１８は、制御部１８の電源投入時にメモリカードリーダ１０を介してマイクロＳＤメモリカード１１の内容を参照し、ＧＰＳデータファイルが存在する場合には、データベース１９の内容をＧＰＳデータファイルの内容で更新する処理を行うことでＧＰＳデータ更新機能を実現する。
【００５１】
第二の機能として、無償プログラム更新機能がある。無償プログラム更新機能は、制御部１８のプログラムの修正がある場合や無償での機能アップのために制御部１８のプログラムやデータを更新する場合に、ホームページ上へこれらのプログラムやデータを含む無償プログラム更新ファイルがアップロードされており、ユーザは、自己のパソコン等でこの無償プログラム更新ファイルをダウンロードし、パソコンで読み書きできるＦＡＴ形式のファイルシステムでフォーマットされたマイクロＳＤメモリカード１１にこの無償プログラム更新ファイルをコピーする。制御部１８は、制御部１８の電源投入時にメモリカードリーダ１０を介してマイクロＳＤメモリカード１１の内容を参照し、無償プログラム更新ファイルが存在する場合には、制御部１８のプログラムが格納されたＥＥＰＲＯＭの内容を無償プログラム更新ファイル内のプログラムやデータに更新する処理を行うことで無償プログラム更新機能を実現する。
【００５２】
第三の機能として、有償プログラム更新機能がある。有償プログラム更新機能は、レーダー探知機１の有償での機能アップのために、制御部１８のプログラムやデータを更新する機能である。有償プログラムは、一般的なパソコンでは読み書きできない特殊なファイルシステム（例えば組み込みシステム専用のファイルシステム）でフォーマットされたマイクロＳＤメモリカード１１内にこれらのプログラムやデータを含む有償プログラム更新ファイルが格納されて、販売されているものである。ユーザはこの販売されている有償プログラム更新用マイクロＳＤメモリカード１１を購入して、カード挿入口９に挿入する。制御部１８は、制御部１８の電源投入時にメモリカードリーダ１０を介してマイクロＳＤメモリカード１１の内容を参照し、有償プログラム更新ファイルが存在する場合には、制御部１８のプログラムが格納されたＥＥＰＲＯＭの内容を、有償プログラム更新ファイル内のプログラムやデータに更新する処理を行うことで有償プログラム更新機能を実現する。
次に、第一から第三の機能までの処理順序を含め、特に第三の機能について詳細に説明する。
【００５３】
まず、電源が投入された際には、制御部１８は周辺回路等の初期化を行い、接続された各部を動作可能な状態とする処理を行う。続いて、メモリカードリーダ１０を介してマイクロＳＤメモリカード１１が装着されているか（アクセス可能か）を確認する。アクセス可能な場合、マイクロＳＤメモリカード１１のファイルシステムが、ＦＡＴ形式であるか、特殊なファイルシステムであるかを確認する。
【００５４】
ＦＡＴ形式である場合には、ＦＡＴ形式でマイクロＳＤメモリカード１１をマウントし、無償プログラム更新ファイルが存在するか否かを確認する。無償プログラム更新ファイルが存在する場合（無償プログラム更新ファイルであることを示すファイル名を有し、データ構造が無償プログラム更新ファイルとしての形式であるものである場合）、前述した無償プログラム更新機能の処理を実行する。一方、無償プログラム更新ファイルが存在しない場合には、ＦＡＴ形式でマウントしたマイクロＳＤメモリカード１１内に、ＧＰＳデータファイルが存在するかを確認する。ＧＰＳデータファイルが存在する場合（ＧＰＳデータファイルであることを示すファイル名を有し、データ構造がＧＰＳデータファイルとしての形式であるものである場合）、前述したＧＰＳデータ更新機能の処理を実行する。
【００５５】
一方、特殊なファイルシステムである場合には、その特殊なファイルシステムの形式でマイクロＳＤメモリカード１１をマウントし、有償プログラム更新ファイルが存在するか否かを確認する。有償プログラム更新ファイルが存在する場合（有償プログラム更新ファイルであることを示すファイル名を有し、データ構造が有償プログラム更新ファイルとしての形式であるものである場合）、前述した有償プログラム更新機能の処理を実行する。具体的には、図５に示すフローの処理を行う。
【００５６】
図５に示すように、まずステップ１０（Ｓ１０）では、マイクロＳＤメモリカード１１に認証番号ファイルが記憶されておらず、かつ、レーダー探知機１の本体の制御部１８のＥＥＰＲＯＭにも認証番号ファイルが記憶されていない状態であるか、すなわち、マイクロＳＤメモリカード１１と制御部１８のＥＥＰＲＯＭの双方に認証番号ファイルがないかどうかを判定する。マイクロＳＤメモリカード１１と制御部１８のＥＥＰＲＯＭの双方に認証番号ファイルがない場合には（Ｓ１０：ＹＥＳ）、Ｓ２０へ移行する。Ｓ２０では、図６に示す認証番号入力画面を表示部５に表示する。認証番号入力画面は、上部の左右方向に「シリアルＮｏ．を入力してください」の文字列を表示するタイトル表示部を備え、その下に左右方向に設けた白色の矩形内部の領域である入力文字表示部を備える。更にその下に、０〜９までの数字ボタンと、再入力ボタン、ＯＫボタンを有する入力ボタン部を備える。いずれかの数字ボタンの表示部の箇所へのタッチがタッチパネルから検出された場合、タッチされた数字を入力文字表示部に表示する。例えば数字ボタンの「０」のタッチが検出された場合、入力文字表示部に左詰めで「０」と表示する。続けてさらに「３」のタッチが検出された場合、「０３」と左詰めで表示する。このようにして８桁まで入力を受け付ける。例えば「０」「３」「９」「６」「３」「１」「４」「６」の順に数字ボタンのタッチが検出された場合には、入力文字表示部には「０３９６３１４６」と左詰めで表示されることとなる。このようにして、ユーザは８桁の認証番号を入力する。認証番号は任意としてもよいが、製品のシリアル番号とするとよい。この場合、例えば、レーダー探知機１のケース本体２の背面に８桁のシリアル番号シールを貼っておき、そのシリアル番号を入力するよう取扱説明書等で指示を記載しておくとよい。あるいは単に番号を記載した紙を添付するだけでもよい。このように単に、入力する情報を紙に印刷して製品に添付するだけでよいので、認証情報を制御部１８のＥＥＰＲＯＭに記憶するのと比べると遙かにコストがかからないこととなる。
【００５７】
なお、再入力ボタンの表示部の箇所へのタッチがタッチパネルから検出された場合、現在、入力文字表示部に表示されている認証番号をクリアーして図６の表示状態に戻す。
そして、８桁の入力が完了した場合、ユーザはＯＫボタンをタッチする。
【００５８】
ＯＫボタンの表示部の箇所へのタッチがタッチパネルから検出された場合、８桁の認証番号が入力されているか（入力文字表示部に８桁の認証番号を表示している状態か）をチェックし、８桁の認証番号が入力されている場合には、図５のＳ３０へ移行する。８桁の認証番号が入力されていない場合には、認証番号をクリアーして図６の表示状態に戻す。
【００５９】
Ｓ３０では、入力された８桁の認証番号を含む認証番号ファイルをマイクロＳＤメモリカード１１に作成して記憶させるとともに、入力された８桁の認証番号を含む認証番号ファイルをレーダー探知機１の本体の制御部１８のＥＥＰＲＯＭにも作成して記憶させる。
【００６０】
続くＳ４０では、マイクロＳＤメモリカード１１の有償プログラム更新ファイルを読み取り、制御部１８のＥＥＰＲＯＭに記憶されたデータとプログラムを更新する。更新中には、図７に示すように「アップデート中です。電源を切らないでください。」の文字列とその文字列の下にアップデートの進捗率を示すプログレスバーを備えた更新進捗表示画面を表示部５に表示させる。図７の状態は、更新処理がほぼ終了に近い状態の更新進捗表示画面の状態を示している。更新が終了するとＳ５０へ移行する。
【００６１】
Ｓ５０では、マイクロＳＤメモリカード１１の取り出し指示を表示部５に表示する。具体的には、図８に示すように、「アップデートが終了しました。電源を切ってからＳＤカードを取り出し再起動してください」の文字列を備えた更新終了表示画面を表示部５に表示する。この状態で処理を終了する（その結果、表示部５にはレーダー探知機１の再起動（電源の再投入）がなされるまで図８の画面が表示されることとなる。
【００６２】
カード挿入口９からマイクロＳＤメモリカード１１が取り出された状態で、レーダー探知機１の再起動（電源の再投入）がなされると、更新された制御部１８のＥＥＰＲＯＭに記憶されたデータとプログラムに基づく処理（更新後の処理）がなされることとなる。
【００６３】
一方、図５のＳ１０でＮＯの場合、すなわち、マイクロＳＤメモリカード１１に認証番号ファイルが記憶されている場合、または、レーダー探知機１の本体の制御部１８のＥＥＰＲＯＭに認証番号ファイルが記憶されている場合（マイクロＳＤメモリカード１１と制御部１８のＥＥＰＲＯＭの少なくともいずれか一方に認証番号ファイルが記憶されている場合）には（Ｓ１０：ＮＯ）、Ｓ６０へ移行する。
【００６４】
Ｓ６０では、マイクロＳＤメモリカード１１内の認証番号と制御部１８のＥＥＰＲＯＭ内の認証番号が一致するか否かを判定する。例えばマイクロＳＤメモリカード１１と制御部１８のＥＥＰＲＯＭのいずれか一方に認証番号ファイルがない場合には認証番号は不一致と判定する。また、例えばマイクロＳＤメモリカード１１と制御部１８のＥＥＰＲＯＭの双方に認証番号ファイルがある場合には、双方の認証番号ファイル内の認証番号が一致する場合に認証番号が一致すると判定し、双方の認証番号ファイル内の認証番号が不一致の場合には認証番号が不一致と判定する。
認証番号が一致する場合には（Ｓ６０：ＹＥＳ）、Ｓ４０の処理へ移行する。一方、認証番号が不一致の場合には（Ｓ６０：ＮＯ）、Ｓ７０へ移行する。
【００６５】
Ｓ７０では、図９に示すように、「このＳＤカードではアップデートできません。電源を切ってからＳＤカードを取り出し再起動してください」の文字列を備えた更新不能表示画面を表示部５に表示する。この状態で処理を終了する（その結果、表示部５にはレーダー探知機１の再起動（電源の再投入）がなされるまで図８の画面が表示されることとなる。カード挿入口９からマイクロＳＤメモリカード１１が取り出された状態で、レーダー探知機１の再起動（電源の再投入）がなされると、更新されていない状態で、制御部１８のＥＥＰＲＯＭに記憶されたデータとプログラムに基づく処理がなされることとなる。なお、図９に示すように更新不能表示画面は、図８に示す更新終了表示画面とは文字の背景色をかえている。このように文字の背景色を変えるなど両画面は異なる表示態様で表示するとよい。
【００６６】
本実施形態の有償プログラム更新ファイルは、ＧＰＳ警報機能において、警報対象へ接近した場合に、図４（ａ）に示したような警報対象の模式図を示した警報を行う模式図警報機能に替えて、図１０に示すように、警報対象へ接近した場合にキャラクタを表示して、このキャラクタを動かしてアニメーション表示し、ＢＧＭをスピーカ１６から出力する処理を行うキャラクタ警報機能を実現するプログラムとデータを含むファイルである。ユーザは、この有償プログラム更新ファイルを含むキャラクタ警報機能追加用マイクロＳＤメモリカード１１（このカードは前述の一般的なパソコンでは読み書きできない特殊なファイルシステムである）をカード挿入口９に挿入してレーダー探知機１の電源を入れることで、上述した処理によって、キャラクタ警報機能を追加することができる。
【００６７】
なお、更新により追加されたキャラクタ警報機能と更新前から存在する模式図警報機能とは、ユーザ設定により切り替えられるように切り替えプログラムをこの有償プログラム更新ファイルに含むようにするとよい。
【００６８】
例えば、このユーザ設定は、メイン表示領域Ｒ１が１回タッチされたのを検知した場合、選択画面を表示し、その選択画面のタッチ位置に基づいて行うようにするとよい。例えば、選択画面は、「ＧＰＳ警報モード」の文字列を表示し、その文字列の下に左右に２つのボタンを備える。左側のボタンが「模式図警報」と表示した更新前機能選択ボタンであり、右側のボタンが「キャラクタ警報機能」と表示した更新後機能選択ボタンである。更新前機能選択ボタンの表示部へのタッチがタッチパネル６から検出された場合には、図４（ａ）のような模式図警報を行い、更新後機能選択ボタンの表示部へのタッチがタッチパネル６から検出された場合には、図１０のようなキャラクタ警報を行う。
【００６９】
以上のように本実施形態のレーダー探知機は、着脱可能な記憶媒体であるマイクロＳＤメモリカード１１に記憶された情報をマイクロＳＤメモリカード１１の装着時に利用する電子機器である。そして、有償プログラム更新ファイルが存在する対象のマイクロＳＤメモリカード１１が装着されており、対象の状態にあるマイクロＳＤメモリカード１１と制御部１８のＥＥＰＲＯＭの双方に認証番号がない状態の場合には（Ｓ１０：ＹＥＳ）、図６に示した認証番号入力画面を表示部５に表示して、認証番号をユーザに入力させ、当該入力された認証番号を記憶用情報としてレーダー探知機内の制御部１８のＥＥＰＲＯＭに記憶するとともに、その認証番号をマイクロＳＤメモリカード１１にも記憶しておく。そして、認証番号が記憶されたマイクロＳＤメモリカード１１がレーダー探知機に装着された場合に、電源がオンになると、マイクロＳＤメモリカード１１に記憶された認証番号とレーダー探知機内の制御部１８のＥＥＰＲＯＭに記憶された認証番号とが一致しない場合には（Ｓ６０：ＮＯ）、そのマイクロＳＤメモリカード１１による制御部１８のＥＥＰＲＯＭに記憶されたデータとプログラムの更新を行わないというマイクロＳＤメモリカード１１の利用の制限をする。
【００７０】
したがって、例えば、一度、あるレーダー探知機１で有償プログラム更新に利用されたマイクロＳＤメモリカード１１を、他のレーダー探知機１へ挿入して有償プログラム更新をしようとしても、他のレーダー探知機１をそのマイクロＳＤメモリカード１１で更新することはできない。このようにユーザに入力させた情報に基づく情報である認証番号をレーダー探知機１内に記憶するとともにマイクロＳＤメモリカード１１にも記憶させて両者が一致しない場合にそのマイクロＳＤメモリカード１１の情報の利用を制限する構成により、工場出荷時に個別の認証番号の書き込みが不要となり、従来よりも簡便な方法で、マイクロＳＤメモリカード１１のレーダー探知機１への装着時にそのマイクロＳＤメモリカード１１に記憶された情報の利用を制限するかを決定できる。このように、マイクロＳＤメモリカード１１が有償で販売されており、その譲渡が禁止されている場合などにも、こうした簡便な方法で譲渡されたマイクロＳＤメモリカード１１の別のレーダー探知機１での利用を制限できる。
【００７１】
本実施形態のキャラクタ警報機能追加用マイクロＳＤメモリカード１１は、工場出荷時には認証番号を記憶せず、また、工場出荷時にレーダー探知機１内にも認証情報を記憶していない。装着されたキャラクタ警報機能追加用マイクロＳＤメモリカード１１と制御部１８のＥＥＰＲＯＭの双方に認証番号が記憶されていない場合には（Ｓ１０：ＹＥＳ）、図６に示した認証番号入力画面を表示部５に表示して、認証番号をユーザに入力させ、当該入力された認証番号を記憶用情報としてレーダー探知機１内の制御部１８のＥＥＰＲＯＭに記憶するとともに、その認証番号をマイクロＳＤメモリカード１１にも記憶しておく。そのためすでに他のレーダー探知機１で利用されたキャラクタ警報機能追加用マイクロＳＤメモリカード１１については、マイクロＳＤメモリカード１１には認証番号が存在することから、Ｓ１０でＮＯとなり、また他のレーダー探知機１内の制御部１８のＥＥＰＲＯＭに記憶された認証番号とマイクロＳＤメモリカード１１に記憶された認証番号とは一致しないから、Ｓ２０〜Ｓ５０の処理が行われないこととなる。よって、一度、更新に利用されたキャラクタ警報機能追加用マイクロＳＤメモリカード１１を、他のレーダー探知機１で使いまわして、更新し、キャラクタ警報機能を追加するようなことが確実にできなくなる。また、例えば誤って他の電子機器で利用されたキャラクタ警報機能追加用マイクロＳＤメモリカード１１が装着された場合や、まだ更新に利用されていないキャラクタ警報機能追加用マイクロＳＤメモリカード１１がすでに他のキャラクタ警報機能追加用マイクロＳＤメモリカード１１を利用して更新済みのレーダー探知機に誤って装着された場合になどに、そのまだ更新に利用されていないキャラクタ警報機能追加用マイクロＳＤメモリカード１１に認証番号を書きこんでしまうといった誤りを防止できるなど優れた効果を発揮する。
【００７２】
本実施形態では、キャラクタ警報機能追加用マイクロＳＤメモリカード１１に記憶された認証番号とキャラクタ警報機能追加用マイクロＳＤメモリカード１１内に記憶された認証番号とが一致しない場合に、図９に示した更新不能表示画面を表示部５に表示する。このように、利用が制限される旨の出力を行う構成とすることで、装着されたキャラクタ警報機能追加用マイクロＳＤメモリカード１１が、利用制限のあるキャラクタ警報機能追加用マイクロＳＤメモリカード１１であることをユーザは知ることができる。
【００７３】
本実施形態では、キャラクタ警報機能追加用マイクロＳＤメモリカード１１に記憶されたアップデート情報である有償プログラム更新ファイルを用いたレーダー探知機１の本体内のＥＥＰＲＯＭのプログラム（キャラクタ警報機能を実現するプログラム）とデータ（キャラクタの画像データやアニメーションのためのデータ、ＢＧＭの音声データ等）のアップデート（追加更新）を行なっている。また、Ｓ７０に示したように（Ｓ４０を実施しないことによる）利用の制限として、キャラクタ警報機能追加用マイクロＳＤメモリカード１１に記憶された有償プログラム更新ファイルを用いたレーダー探知機１内のＥＥＰＲＯＭのプログラムとデータのアップデートを行わない構成としている。そのため、アップデート情報の記憶されたキャラクタ警報機能追加用マイクロＳＤメモリカード１１を複数のレーダー探知機１で使い回して複数のキャラクタ警報機能追加用マイクロＳＤメモリカード１をアップデートさせたりすることを防止することができる。例えばアップデート情報を記憶したマイクロＳＤメモリカード１１を販売している場合に、自己のレーダー探知機をこのマイクロＳＤメモリカード１１を用いてアップデートした後に、他人のレーダー探知機１をこのマイクロＳＤメモリカード１１を用いてアップデートすることを、従来よりも簡便な構成でできなくすることができる。
【００７４】
本実施形態では、キャラクタ警報機能追加用マイクロＳＤメモリカード１１に記憶された認証番号とレーダー探知機１内の制御部１８のＥＥＰＲＯＭに記憶された認証番号とが一致する場合には、キャラクタ警報機能追加用マイクロＳＤメモリカード１１内のアップデート情報である有償プログラム更新ファイルを用いたレーダー探知機１の制御部１８のＥＥＰＲＯＭ内のプログラムとデータのアップデートを行う構成であり、認証番号を、レーダー探知機１内の制御部１８のＥＥＰＲＯＭ内に記憶するとともにキャラクタ警報機能追加用マイクロＳＤメモリカード１１にも記憶させた際には、キャラクタ警報機能追加用マイクロＳＤメモリカード１１の取り出し指示を含む出力する（図５のＳ５０、図８）構成としている。このようにすることで、アップデート後に再度アップデート処理が実行されることを防止できる。
【００７５】
本実施形態では、アップデートにより、アップデート前の機能である模式図警報機能と、アップデート後の機能であるキャラクタ警報機能との双方を実行可能とし、いずれを実行するかをユーザが選択可能に構成している。  このようにすることで、例えば任意にアップデート前の模式図警報機能と、アップデート後のキャラクタ警報機能とを選択できる。また、アップデート後にもアップデート前の機能である模式図警報機能を実行させることができる。
【００７６】
本実施形態では、マイクロＳＤメモリカード１１として、一般的なパソコンで読み書き可能なマイクロＳＤメモリカード１１と、キャラクタ警報機能追加用マイクロＳＤメモリカード１１のように一般的なパソコンで読み書き不能な記憶形式のマイクロＳＤメモリカード１１とを備え、一般的なパソコンで読み書き不能な記憶形式のマイクロＳＤメモリカード１１は図５の処理の対象（第三の機能の対象）の記憶媒体とする一方、一般的なパソコンで読み書き可能な記憶形式のマイクロＳＤメモリカード１１は図５の処理の対象としない（第３の機能の対象としない）とともに一般的なパソコンで読み書き可能な記憶形式のマイクロＳＤメモリカード１１の装着時には、当該マイクロＳＤメモリカード１１内のアップデート情報を用いたレーダー探知機１の制御部１８のＥＥＰＲＯＭの記憶部のアップデートを行う機能を備える（第二の機能を備える）構成としている。このようにすることで、例えばインターネット等を介して提供される無償のアップデート情報を一般的なパソコンで読み書き可能な記憶形式のマイクロＳＤメモリカード１１にダウンロードして、そのマイクロＳＤメモリカード１１をレーダー探知機１に装着することで、当該マイクロＳＤメモリカード１１のアップデート情報を用いたレーダー探知機１内の制御部１８のＥＥＰＲＯＭのプログラムやデータのアップデートを行うことができる一方、例えば有償で提供される一般的なパソコンで読み書き不能な記憶形式の記憶媒体は図５の処理の対象とすることで当該マイクロＳＤメモリカード１１のコピーを防止できるとともに他のレーダー探知機１での利用制限をかけることができる。
【００７７】
マイクロＳＤメモリカード１１に記憶された認証番号とレーダー探知機１内に記憶された認証番号とが一致する場合には（図５のＳ６０：ＹＥＳ）、当該マイクロＳＤメモリカード１１内の情報の利用を制限しない構成としている（図５のＳ４０）。
【００７８】
このようにすることで、ユーザ自身が入力した情報に基づく認証番号が、当該マイクロＳＤメモリカード１１とレーダー探知機内の双方に存在する場合に当該当該マイクロＳＤメモリカード１１内の情報が制限なく利用できる。
【００７９】
本実施形態では、所定の情報として８桁の認証番号をユーザに入力させるための表示部５への認証番号入力画面の表示を行い、タッチパネル６によって入力された認証番号を認証番号入力画面の入力文字表示部に表示する構成としている。このようにすれば、ユーザは入力した番号を確認しながら確実に認証番号を入力することが容易にできるようになる。
【００８０】
本実施形態では、ユーザに入力させる情報は認証番号であり、レーダー探知機内の制御部１８のＥＥＰＲＯＭに記憶する情報とマイクロＳＤメモリカード１１に記憶する情報は認証番号そのものである構成としている。このようにすることで、ユーザは番号を入力するだけでよく、容易かつ簡便に所定の情報を容易に入力でき、キャラクタ警報機能追加用マイクロＳＤメモリカード１１に記憶された情報をそのキャラクタ警報機能追加用マイクロＳＤメモリカード１１の装着時に利用することが容易にでき、その利用を妨げる度合いを最小にすることができる。
【００８１】
本実施形態の第三の機能を実現するプログラムは、予め工場出荷時のレーダー探知機１の制御部１８のＥＥＰＲＯＭ内に格納しておき、実行するようにしてもよいが、次のような構成とするとさらによい。
【００８２】
すなわち、図５の処理を行う更新プログラムを、販売するキャラクタ警報機能追加用マイクロＳＤメモリカード１１内に記憶しておき、特殊なファイルシステムの形式でマイクロＳＤメモリカード１１をマウントした後に、キャラクタ警報機能追加用マイクロＳＤメモリカード１１内の図５の処理を行う更新プログラムを制御部１８が実行するように構成する。
【００８３】
このようにすれば、第三の機能（有償プログラム更新機能）の更新プログラム自体の内容の変更を容易にできるようになる。この更新プログラムは、一般的なパソコンでは読み書きできない特殊なファイルシステムの形式のマイクロＳＤメモリカード１１内に存在する場合のみ実行するようにし、パソコンで読み書きできる読み書きできるファイルシステムの形式のマイクロＳＤメモリカード１１内に存在する場合には実行しないようする。一方で、第二の機能による更新プログラムは、予め工場出荷時にレーダー探知機１の制御部１８のＥＥＰＲＯＭに備えるプログラムとして記憶しておく。このようにすれば、悪意あるユーザが、例えばマイクロＳＤメモリカード１１内に悪意あるプログラムを実行させることを困難にすることができる。
さらに、本実施形態では、図５の処理を例として、挙げたがこれにとらわれることなく、本発明の範囲で適宜構成を変更することができる。
【００８４】
例えば、図５の処理に代えて、図１１の処理を行うようにしてもよい。図１１の処理では、Ｓ１１０で、有償プログラム更新機能のための更新用のマイクロＳＤメモリカード１１であるか否かをまず判定する。この判定は、例えば更新用のマイクロＳＤであることを示すボリュームラベルが存在するかなど所定のＩＤ（識別情報）があるか否かで判定する。有償プログラム更新機能のための更新用のマイクロＳＤメモリカード１１でなければ、無視して本処理を終了し、レーダー探知機１の上述した通常の処理（各種機能を実現する処理）へ移行する。一方、有償プログラム更新機能のための更新用のマイクロＳＤメモリカード１１であれば、Ｓ１２０へ移行し、マイクロＳＤメモリカード１１に認証番号が記憶されているか否かを判定する。マイクロＳＤメモリカード１１に認証番号が記憶されている場合には（Ｓ１２０：ＹＥＳ）、Ｓ１７０へ移行する。マイクロＳＤメモリカード１１に認証番号が記憶されていない場合には（Ｓ１２０：ＮＯ）、Ｓ１３０へ移行する。
Ｓ１３０では、図５のＳ２０と同様の処理で認証番号の入力を行い、Ｓ１４０へ移行する。
Ｓ１４０では、図５のＳ３０と同様の処理を行う。
【００８５】
Ｓ１５０では、レーダー探知機１の本体の制御部１８のＥＥＰＲＯＭに記憶されている認証番号と、マイクロＳＤメモリカード１１に記憶されている認証番号が一致するか否かをチェックする。一致する場合には（Ｓ１５０：ＹＥＳ）、Ｓ１６０へ移行し、一致しない場合には（Ｓ１５０：ＮＯ）、Ｓ１４０へ戻って再度書き込みを行う。このようにチェックすることで、レーダー探知機１の本体の制御部１８のＥＥＰＲＯＭとマイクロＳＤメモリカード１１とのいずれかについて書き込みミスが発生した場合などに、そのマイクロＳＤメモリカード１１の利用が制限されてしまうことを防止することができる。
【００８６】
Ｓ１６０では、図５のＳ４０と同様の処理を行う。ただし、更新が終了したら、レーダー探知機１の上述した通常の処理（各種機能を実現する処理）へ移行する。このときには更新されたプログラムが実行されることとなる。
【００８７】
一方、Ｓ１７０では、レーダー探知機１の本体の制御部１８のＥＥＰＲＯＭに認証番号が記憶されているか否かを判定する。レーダー探知機１の本体の制御部１８のＥＥＰＲＯＭに認証番号が記憶されている場合には（Ｓ１７０：ＹＥＳ）、Ｓ１８０へ移行する。レーダー探知機１の本体の制御部１８のＥＥＰＲＯＭに認証番号が記憶されていない場合には（Ｓ１７０：ＮＯ）、Ｓ２１０へ移行する。
【００８８】
Ｓ１８０では、レーダー探知機１の本体の制御部１８のＥＥＰＲＯＭに記憶されている認証番号と、マイクロＳＤメモリカード１１に記憶されている認証番号が一致するか否かを判定する。一致する場合には（Ｓ１８０：ＹＥＳ）、Ｓ１９０へ移行し、一致しない場合には（Ｓ１８０：ＮＯ）、Ｓ２１０へ移行する。
Ｓ２１０では、図５のＳ７０と同様の処理によって更新不能表示画面を表示部５に表示する。ただしこの状態で処理を終了せず図８の画面を１０秒間表示した後、レーダー探知機１の上述した通常の処理（各種機能を実現する処理）へ移行する。このときには更新されていないプログラムが実行されることとなる。
【００８９】
Ｓ１９０では、マイクロＳＤメモリカード１１に記憶されている有償プログラム更新ファイルを用いたレーダー探知機１の制御部１８のＥＥＰＲＯＭ内のプログラムとデータの再更新を行うか否か選択するボタンを表示する再更新確認画面（図示省略）を表示する。再更新確認画面は、「再更新しますか」の文字列を表示し、その文字列の下に左右に２つのボタンを備える。左側のボタンが「再更新する」と表示した再更新実行ボタンであり、右側のボタンが「再更新しない」と表示した再度更新キャンセルボタンである。再更新実行ボタンの表示部へのタッチがタッチパネル６から検出された場合には（Ｓ１９０：ＹＥＳ）、Ｓ２００へ移行する。Ｓ２００では、図５のＳ４０と同様の処理を再度行うことで、レーダー探知機１の制御部１８のＥＥＰＲＯＭ内のプログラムとデータの再更新を行い、再更新が完了したら、この処理を終了して、レーダー探知機１の上述した通常の処理（各種機能を実現する処理）へ移行する。このときには更新されたプログラムが実行されることとなる。
【００９０】
一方、Ｓ１９０で、再更新キャンセルボタンの表示部へのタッチがタッチパネル６から検出された場合には（Ｓ１９０：ＮＯ）、この処理を終了して、レーダー探知機１の上述した通常の処理（各種機能を実現する処理）へ移行する。このときには再更新されていないプログラムが実行されることとなる。
【００９１】
このような処理によれば、マイクロＳＤメモリカード１１を差したままにした場合であっても、通常の処理に移行することとなる。また、一度更新に使用したマイクロＳＤメモリカード１１を再度利用して、ユーザへの再更新の必要性の確認をとって、再更新させることができる。
この変形例にとらわれることなく、本発明の範囲内で各種の処理として構成することができる。
【００９２】
また、本実施形態では、電子機器が、レーダー探知機１の例で説明したが、各種の電子機器の機能として実施することができる。たとえば、ナビゲーション装置や、ドライブレコーダ、カーオーディオの機能として組み込んでもよい。
【符号の説明】
【００９３】
５      表示器
６      タッチパネル
７      音量と調整ボタン
８      作業ボタン
１０      メモリカードリーダ
１１      メモリカード
１３      ＧＰＳ受信器
１４      マイクロ波受信器
１５      無線受信器
１６      スピーカ
１８      制御部
１９      データベース
【図１】
0005934977.tif 000002
【図２】
0005934977.tif 000003
【図３】
0005934977.tif 000004
【図４】
0005934977.tif 000005
【図５】
0005934977.tif 000006
【図６】
0005934977.tif 000007
【図７】
0005934977.tif 000008
【図８】
0005934977.tif 000009
【図９】
0005934977.tif 000010
【図１０】
0005934977.tif 000011
【図１１】
0005934977.tif 000012